(57)【特許請求の範囲】
【請求項１】
釦と、前記釦を支持する支持部材とを備え、
前記釦は、操作面が形成された操作部と、前記支持部材に支持される第一支持部及び第二支持部と、前記操作部及び前記第一支持部に固定されて前記操作部及び前記第一支持部を連結する第一弾性部と、前記操作部及び前記第二支持部に固定されて前記操作部及び前記第二支持部を連結する第二弾性部とを有し、
前記第一弾性部の前記操作部に固定された部分と、前記第二弾性部の前記操作部に固定された部分とは、前記操作部の中心を挟む位置に配置され、前記第一弾性部及び前記第二弾性部は、互いに弾性力が異なったことを特徴とする操作入力装置。
【請求項２】
スイッチを備え、
前記釦は、前記操作部の前記操作面とは反対側の面側に前記スイッチを押圧するスイッチ押圧部を有し、
前記第一弾性部及び前記第二弾性部のうち前記スイッチ押圧部から遠い方は、前記スイッチ押圧部から近い方より弾性力が大きいことを特徴とする請求項１に記載の操作入力装置。
【請求項３】
前記第一弾性部及び前記第二弾性部は、互いに太さが異なったことを特徴とする請求項１又は請求項２に記載の操作入力装置。
【請求項４】
前記第一弾性部及び前記第二弾性部は、互いに長さが異なったことを特徴とする請求項１または請求項２に記載の操作入力装置。
【請求項５】
請求項１から請求項４までの何れかに記載の操作入力装置を備えたことを特徴とする車載用電子機器。
【発明の詳細な説明】
【０００１】
【発明の属する技術分野】
本発明は、車載用音響機器などの電子機器の操作入力装置、及び、この操作入力装置を備えた車載用電子機器に関するものである。
【０００２】
【従来の技術】
従来、操作入力装置として、図１５から図１８までに示すような操作入力装置９１０が知られている。
【０００３】
図１５から図１８までにおいて、操作入力装置９１０を備えた車載用音響機器９００は、操作入力装置９１０と同様に使用者に押圧操作されることによって、図示していない制御装置に信号を入力する３つの操作入力装置９０１と、使用者に回転操作されることによって、制御装置に信号を入力する２つの操作入力装置９０２と、操作入力装置９１０、操作入力装置９０１、及び、操作入力装置９０２によって信号を入力された制御装置の動作状態を表示するディスプレイ９０３とを備えている。
【０００４】
ここで、操作入力装置９１０は、釦９２０と、矢印９２０ａで示す方向に挿入される釦９２０を支持するパネル部材９３０と、パネル部材９３０の背面の基板９３５に設置されたスイッチ９４１及びスイッチ９４２とを備えている。
【０００５】
釦９２０は、操作面９２１ａが形成された操作部９２１と、操作部９２１の操作面９２１ａとは反対側の面９２１ｂ側に配置された突起部９２２ａ、突起部９２２ｂ、突起部９２２ｃ及び突起部９２２ｄと、操作部９２１の面９２１ｂ側に配置された爪部９２３ａ及び爪部９２３ｂと、操作部９２１の面９２１ｂ側に配置され、スイッチ９４１及びスイッチ９４２を押圧するスイッチ押圧部９２４ａ及びスイッチ押圧部９２４ｂとを有している。
【０００６】
また、パネル部材９３０は、釦９２０の操作部９２１が挿入される挿入溝９３１と、釦９２０の突起部９２２ａ、突起部９２２ｂ、突起部９２２ｃ及び突起部９２２ｄが挿入され、突起部９２２ａ、突起部９２２ｂ、突起部９２２ｃ及び突起部９２２ｄを案内する案内溝９３２ａ、案内溝９３２ｂ、案内溝９３２ｃ及び案内溝９３２ｄとが形成されている。
【０００７】
また、パネル部材９３０は、釦９２０の爪部９２３ａ及び爪部９２３ｂが挿入される挿入穴９３３ａ及び挿入穴９３４ａが形成され、挿入穴９３３ａ及び挿入穴９３４ａに挿入された爪部９２３ａ及び爪部９２３ｂと係合して、釦９２０の操作部９２１が矢印９２０ａで示す方向とは反対の矢印９２０ｂで示す方向に移動して挿入溝９３１から出てしまうことを防止する係合部９３３及び係合部９３４を有している。
【０００８】
そして、釦９２０の操作部９２１が操作面９２１ａ側から矢印９２０ａで示す方向に使用者に押圧されると、突起部９２２ａ、突起部９２２ｂ、突起部９２２ｃ及び突起部９２２ｄが、案内溝９３２ａ、案内溝９３２ｂ、案内溝９３２ｃ及び案内溝９３２ｄでパネル部材９３０と係合することによって案内されながら、釦９２０がパネル部材９３０に対して矢印９２０ａで示す方向に移動する。
【０００９】
釦９２０がパネル部材９３０に対して矢印９２０ａで示す方向に移動すると、釦９２０のスイッチ押圧部９２４ａ及びスイッチ押圧部９２４ｂが、スイッチ９４１及びスイッチ９４２を矢印９２０ａで示す方向に押圧し、押圧されたスイッチ９４１及びスイッチ９４２は、図示していない制御装置に信号を入力する。
【００１０】
以上のようにして、操作入力装置９１０は、使用者に押圧操作されることによって、制御装置に信号を入力することができていた。
【００１１】
上記従来の操作入力装置９１０においては、釦９２０の突起部９２２ａ、突起部９２２ｂ、突起部９２２ｃ及び突起部９２２ｄと、パネル部材９３０の案内溝９３２ａ、案内溝９３２ｂ、案内溝９３２ｃ及び案内溝９３２ｄとの間隙は、釦９２０の突起部９２２ａ、突起部９２２ｂ、突起部９２２ｃ及び突起部９２２ｄが、パネル部材９３０の案内溝９３２ａ、案内溝９３２ｂ、案内溝９３２ｃ及び案内溝９３２ｄによって案内されるために最適な程度に設定されている。
【００１２】
【発明が解決しようとする課題】
しかしながら、例えば釦９２０の操作部９２１の端部９２１ｃ（図１５参照）が使用者によって操作面９２１ａ側から矢印９２０ａで示す方向に押圧されると、釦９２０が矢印９２０ａで示す方向に対して矢印９２０ｃ（図１６参照）で示す方向に回動する力が働き、釦９２０の突起部９２２ａ、突起部９２２ｂ、突起部９２２ｃ及び突起部９２２ｄが、パネル部材９３０の案内溝９３２ａ、案内溝９３２ｂ、案内溝９３２ｃ及び案内溝９３２ｄが形成された部分に引っ掛かることがあるという問題があった。
【００１３】
そこで、本発明は、釦が使用者によって押圧されたときに、釦の引っ掛かりを防止することができる操作入力装置、及び、この操作入力装置を備えた車載用電子機器を提供することを目的とする。
【００１４】
【課題を解決するための手段】
上記課題を解決するために、本発明の操作入力装置は、釦と、前記釦を支持する支持部材とを備え、前記釦は、操作面が形成された操作部と、前記支持部材に支持される第一支持部及び第二支持部と、前記操作部及び前記第一支持部に固定されて前記操作部及び前記第一支持部を連結する第一弾性部と、前記操作部及び前記第二支持部に固定されて前記操作部及び前記第二支持部を連結する第二弾性部とを有し、前記第一弾性部の前記操作部に固定された部分と、前記第二弾性部の前記操作部に固定された部分とは、前記操作部の略中心を挟む位置に配置された構成を有している。
【００１５】
この構成により、本発明の操作入力装置は、釦を案内する構成として、従来の操作入力装置９１０のパネル部材９３０のような釦９２０と係合しながら釦９２０を案内する構成を有していなくても良いので、釦が使用者によって押圧されたときに、釦の引っ掛かりを防止することができる。
【００１６】
また、本発明の操作入力装置は、第一弾性部及び第二弾性部を有するので、外部から振動を受けたときに、第一弾性部及び第二弾性部が振動を吸収してラトル音の発生を防止することができる。
【００１７】
また、本発明の操作入力装置は、前記操作面の形状は略四角であり、前記第一弾性部の前記操作部に固定された部分と、前記第二弾性部の前記操作部に固定された部分とは、前記操作面の略対角位置に配置された構成を有している。
【００１８】
この構成により、本発明の操作入力装置は、第一弾性部の操作部に固定された部分と、第二弾性部の操作部に固定された部分とが操作面の略対角位置に配置されていない場合と比較して、釦の操作部の端部が使用者によって操作面側から押圧されたときに、使用者によって押圧された方向に対する釦の回動を第一弾性部及び第二弾性部が抑制するので、使用者によって押圧された方向に対する釦の回動量を小さくすることができる。
【００１９】
また、本発明の操作入力装置は、前記第一弾性部及び前記第二弾性部は、互いに弾性力が異なった構成を有している。
【００２０】
この構成により、本発明の操作入力装置は、釦の操作部が使用者によって操作面側から押圧されたときに、操作部のうち使用者によって押圧された部分の位置に応じて、釦の支持部材に対する動作を変更することができる。
【００２１】
また、本発明の操作入力装置は、スイッチを備え、前記釦は、前記操作部の前記操作面とは反対側の面側に前記スイッチを押圧するスイッチ押圧部を有し、前記第一弾性部及び前記第二弾性部のうち前記スイッチ押圧部から遠い方は、前記スイッチ押圧部から近い方より弾性力が大きい構成を有している。
【００２２】
この構成により、本発明の操作入力装置は、第一弾性部及び第二弾性部のうちスイッチ押圧部から遠い方が固定された側の操作部の部分が使用者によって操作面側から押圧されたときにも、釦が使用者によって押圧された方向に移動するので、スイッチ押圧部がスイッチを押圧することができる。
【００２３】
また、本発明の操作入力装置は、前記第一弾性部及び前記第二弾性部は、互いに太さが異なった構成を有している。
【００２４】
この構成により、本発明の操作入力装置は、太さが異なるように第一弾性部及び第二弾性部が形成されることによって、第一弾性部及び第二弾性部の弾性力を異ならせることができる。
【００２５】
また、本発明の操作入力装置は、前記第一弾性部及び前記第二弾性部は、互いに長さが異なった構成を有している。
【００２６】
この構成により、本発明の操作入力装置は、長さが異なるように第一弾性部及び第二弾性部が形成されることによって、第一弾性部及び第二弾性部の弾性力を異ならせることができる。
【００２７】
また、本発明の車載用電子機器は、操作入力装置を備えた構成を有している。
【００２８】
この構成により、本発明の操作入力装置は、建築物などの静止物に設置される場合と比較して振動を受け易いが、振動を受けたときに第一弾性部及び第二弾性部が振動を吸収するので、ラトル音の発生を防止することができる。
【００２９】
【発明の実施の形態】
以下、本発明の実施の形態について、図面を用いて説明する。
【００３０】
（第１の実施の形態）
【００３１】
まず、第１の実施の形態に係る操作入力装置の構成について説明する。
【００３２】
図１から図４までにおいて、本実施の形態に係る操作入力装置１１０を備えた車載用電子機器としての車載用音響機器１００は、操作入力装置１１０と同様に使用者に押圧操作されることによって、図示していない制御装置に信号を入力する３つの操作入力装置１０１と、使用者に回転操作されることによって、制御装置に信号を入力する２つの操作入力装置１０２と、操作入力装置１１０、操作入力装置１０１、及び、操作入力装置１０２によって信号を入力された制御装置の動作状態を表示するディスプレイ１０３とを備えている。
【００３３】
ここで、操作入力装置１１０は、略四角形状の操作面１２１ａが形成された操作部１２１を有する釦１２０と、釦１２０の操作部１２１が挿入される挿入穴１３１が形成され、矢印１２０ａで示す方向に挿入される釦１２０を支持する支持部材としてのパネル部材１３０と、釦１２０に対してパネル部材１３０側とは反対側で図示していない基板に設置されたスイッチ１４１とを備えている。
【００３４】
釦１２０は、図５から図７までに示すように、爪部１２２ａを有し、パネル部材１３０（図１参照）に支持される第一支持部１２２と、爪部１２３ａを有し、パネル部材１３０に支持される第二支持部１２３と、操作部１２１に固定された固定部１２４ａ、及び、第一支持部１２２に固定された固定部１２４ｂを有し、固定部１２４ａ及び固定部１２４ｂで操作部１２１及び第一支持部１２２に固定されることによって、操作部１２１及び第一支持部１２２を連結する第一弾性部１２４と、操作部１２１に固定された固定部１２５ａ、及び、第二支持部１２３に固定された固定部１２５ｂを有し、固定部１２５ａ及び固定部１２５ｂで操作部１２１及び第二支持部１２３に固定されることによって、操作部１２１及び第二支持部１２３を連結する第二弾性部１２５とを有している。
【００３５】
ここで、第一弾性部１２４の操作部１２１に固定された部分である固定部１２４ａと、第二弾性部１２５の操作部１２１に固定された部分である固定部１２５ａとは、操作面１２１ａの略対角位置に配置されている。
【００３６】
また、第一弾性部１２４は、延在方向が略直角に曲げられた曲げ部１２４ｃ及び曲げ部１２４ｄを有しており、曲げ部１２４ｃ及び曲げ部１２４ｄの二箇所で曲げられたことによって弾性を有している。同様に、第二弾性部１２５は、延在方向が略直角に曲げられた曲げ部１２５ｃ及び曲げ部１２５ｄを有しており、曲げ部１２５ｃ及び曲げ部１２５ｄの二箇所で曲げられたことによって弾性を有している。
【００３７】
また、釦１２０は、操作部１２１の操作面１２１ａとは反対側の面１２１ｂ側に配置され、スイッチ１４１（図１参照）を押圧するスイッチ押圧部１２６を有している。
【００３８】
また、パネル部材１３０は、図１から図３までに示すように、釦１２０の第一支持部１２２が挿入される挿入溝１３２ａ、１３３ａが形成され、挿入溝１３２ａ、１３３ａに挿入された第一支持部１２２を支持する支持部１３２、１３３と、釦１２０の第一支持部１２２が支持部１３２、１３３に支持されたとき、第一支持部１２２の爪部１２２ａが挿入される挿入穴１３４ａが形成され、挿入穴１３４ａに挿入された爪部１２２ａと係合して、釦１２０の操作部１２１が矢印１２０ａで示す方向とは反対の矢印１２０ｂで示す方向に移動して挿入穴１３１から出てしまうことを防止する係合部１３４とを有している。
【００３９】
また、パネル部材１３０は、釦１２０の第二支持部１２３が挿入される挿入溝１３５ａ、１３６ａが形成され、挿入溝１３５ａ、１３６ａに挿入された第二支持部１２３を支持する支持部１３５、１３６と、釦１２０の第二支持部１２３が支持部１３５、１３６に支持されたとき、第二支持部１２３の爪部１２３ａが挿入される挿入穴１３７ａが形成され、挿入穴１３７ａに挿入された爪部１２３ａと係合して、釦１２０の操作部１２１が矢印１２０ｂで示す方向に移動して挿入穴１３１から出てしまうことを防止する係合部１３７とを有している。
【００４０】
次に、本実施の形態に係る操作入力装置の動作について説明する。
【００４１】
釦１２０の操作部１２１が操作面１２１ａ側から矢印１２０ｂで示す方向に使用者に押圧されると、第一弾性部１２４及び第二弾性部１２５が弾性を有しているので、釦１２０は、第一弾性部１２４及び第二弾性部１２５によって案内されながら、パネル部材１３０に対して矢印１２０ｂで示す方向に移動する。
【００４２】
釦１２０がパネル部材１３０に対して矢印１２０ｂで示す方向に移動すると、釦１２０のスイッチ押圧部１２６が、スイッチ１４１を矢印１２０ｂで示す方向に押圧し、押圧されたスイッチ１４１は、図示していない制御装置に信号を入力する。
【００４３】
したがって、操作入力装置１１０は、使用者に押圧操作されることによって、制御装置に信号を入力することができる。
【００４４】
以上に説明したように、操作入力装置１１０は、釦１２０が第一弾性部１２４及び第二弾性部１２５によって案内されるので、釦１２０を案内する構成として、図１５に示す従来の操作入力装置９１０のパネル部材９３０のような釦９２０と係合しながら釦９２０を案内する構成を有していなくても良く、釦１２０が使用者によって押圧されたときに、釦１２０の引っ掛かりを防止することができる。
【００４５】
また、操作入力装置１１０は、従来の操作入力装置９１０のようにラトル音の発生を防止するための弾性部材を釦１２０とは別部品として有していなくても、第一弾性部１２４及び第二弾性部１２５が弾性を有するので、外部から振動を受けたときに、第一弾性部１２４及び第二弾性部１２５が振動を吸収してラトル音の発生を防止することができる。
【００４６】
また、操作入力装置１１０は、固定部１２４ａと、固定部１２５ａとが操作面１２１ａの略対角位置、即ち、釦１２０の操作部１２１の端部近傍の位置に配置されているので、固定部１２４ａと、固定部１２５ａとが操作面１２１ａの略対角位置に配置されていない場合と比較して、釦１２０の操作部１２１の端部が使用者によって操作面１２１ａ側から矢印１２０ｂで示す方向に押圧されたときに、矢印１２０ｂで示す方向に対する釦１２０の回動を第一弾性部１２４及び第二弾性部１２５が抑制することができ、矢印１２０ｂで示す方向に対する釦１２０の回動量を小さくすることができる。
【００４７】
例えば、釦１２０の操作部１２１の端部１２１ｃ（図５参照）が使用者によって操作面１２１ａ側から矢印１２０ｂで示す方向に押圧されると、固定部１２４ａと、固定部１２５ａとが操作面１２１ａの略対角位置に配置されている場合、図８に示す釦１７０のように操作部１２１に固定された固定部１７４ａ及び固定部１７５ａが操作面１２１ａの略対角位置に配置されていない場合と比較して、釦１２０の矢印１２０ａで示す方向に対する矢印１２０ｃ（図３参照）で示す方向の回動量は小さくなる。
【００４８】
なお、本発明によれば、固定部１２４ａ及び固定部１２５ａは、操作部１２１の略中心を挟む位置に配置されていれば、図８に示す固定部１７４ａ及び固定部１７５ａのように、操作面１２１ａの略対角位置に配置されていていなくても良い。
【００４９】
ここで、釦１７０の構成について説明する。なお、釦１７０は、以下に説明する構成を除いて釦１２０の構成とほぼ同様な構成を有しているので、釦１７０のうち、釦１２０と同様な構成については釦１２０の構成と同一の符号を付して詳細な説明を省略する。
【００５０】
釦１７０は、釦１２０において、第一弾性部１２４及び第二弾性部１２５に代えて、操作部１２１に固定された固定部１７４ａを有し、操作部１２１及び第一支持部１２２を連結する第一弾性部１７４と、操作部１２１に固定された固定部１７５ａを有し、操作部１２１及び第二支持部１２３を連結する第二弾性部１７５とを有した構成とほぼ同様な構成を有している。また、第一弾性部１７４の固定部１７４ａと、第二弾性部１７５の固定部１７５ａとは、操作面１２１ａの略対角位置に配置されていない。
【００５１】
なお、操作部１２１の中心としては、操作部１２１の重心や、操作面１２１ａ上の中心や、スイッチ押圧部１２６に対向する操作面１２１ａ上の位置をとることができる。
【００５２】
また、操作面１２１ａは、本実施の形態において略四角形状であったが、本発明によれば、略円形状など、他の形状であっても良い。
【００５３】
また、操作入力装置１１０は、車両に搭載されるので、建築物などの静止物に設置される場合と比較して振動を受け易いが、上述したように、振動を受けたときに第一弾性部１２４及び第二弾性部１２５が振動を吸収するので、ラトル音の発生を防止することができる。
【００５４】
なお、本発明によれば、操作入力装置１１０は、建築物など、車両以外の場所に設置されていても良い。
【００５５】
（第２の実施の形態）
【００５６】
まず、第２の実施の形態に係る操作入力装置の構成について説明する。
【００５７】
なお、本実施の形態に係る操作入力装置は、第１の実施の形態に係る操作入力装置１１０（図１参照）において釦１２０（図５から図７まで参照）に代えて図９から図１１までに示す釦２２０を備えたものとほぼ同様であるので、本実施の形態に係る操作入力装置の構成のうち、第１の実施の形態に係る操作入力装置１１０とほぼ同様な構成については詳細な説明を省略する。また、釦２２０は、以下に説明する構成を除いて釦１２０の構成とほぼ同様な構成を有しているので、釦２２０の構成のうち、釦１２０とほぼ同様な構成については釦１２０の構成と同一の符号を付して詳細な説明を省略する。
【００５８】
図９から図１１までにおいて、釦２２０は、釦１２０（図５から図７まで参照）の第一弾性部１２４（図５から図７まで参照）に代えて、操作部１２１に固定された固定部２２４ａ、及び、第一支持部１２２に固定された固定部２２４ｂを有し、固定部２２４ａ及び固定部２２４ｂで操作部１２１及び第一支持部１２２に固定されることによって、操作部１２１及び第一支持部１２２を連結する第一弾性部２２４を有している。
【００５９】
ここで、第一弾性部２２４の操作部１２１に固定された部分である固定部２２４ａと、第二弾性部１２５の操作部１２１に固定された部分である固定部１２５ａとは、操作面１２１ａの略対角位置に配置されている。
【００６０】
また、第一弾性部２２４は、延在方向が略直角に曲げられた曲げ部２２４ｃ及び曲げ部２２４ｄを有しており、曲げ部２２４ｃ及び曲げ部２２４ｄの二箇所で曲げられたことによって弾性を有している。
【００６１】
なお、第一弾性部２２４及び第二弾性部１２５のうちスイッチ押圧部１２６から遠い方である第一弾性部２２４は、スイッチ押圧部１２６から近い方である第二弾性部１２５より太く形成されており、第一弾性部２２４は第二弾性部１２５より弾性力が大きくなっている。
【００６２】
次に、本実施の形態に係る操作入力装置の動作について説明する。
【００６３】
なお、本実施の形態に係る操作入力装置の動作は、以下に説明する動作を除いて、第１の実施の形態に係る操作入力装置１１０（図１参照）の動作とほぼ同様であるので、本実施の形態に係る操作入力装置の動作のうち、第１の実施の形態に係る操作入力装置１１０の動作とほぼ同様動作については説明を省略する。
【００６４】
本実施の形態に係る操作入力装置は、第一弾性部２２４が第二弾性部１２５より弾性力が大きくなっているので、第一弾性部２２４及び第二弾性部１２５のうちスイッチ押圧部１２６から遠い方である第一弾性部２２４が固定された側の操作部１２１の部分１２１ｄ（図９参照）が使用者によって操作面１２１ａ側から矢印１２０ｂで示す方向に押圧されたときに、矢印１２０ｂで示す方向に対する釦２２０の矢印１２０ｄ（図１１参照）で示す方向の回動を第一弾性部２２４が抑制することができる。
【００６５】
したがって、本実施の形態に係る操作入力装置は、第一弾性部２２４及び第二弾性部１２５のうちスイッチ押圧部１２６から遠い方である第一弾性部２２４が固定された側の操作部１２１の部分１２１ｄが使用者によって操作面１２１ａ側から矢印１２０ｂで示す方向に押圧されたときでも、釦２２０が矢印１２０ｂで示す方向に移動するので、スイッチ押圧部１２６がスイッチ１４１（図１参照）を押圧することができる。
【００６６】
なお、本実施の形態に係る操作入力装置は、第一弾性部２２４が第二弾性部１２５より弾性力が大きくなっているので、第一弾性部２２４及び第二弾性部１２５のうちスイッチ押圧部１２６から近い方である第二弾性部１２５が固定された側の操作部１２１の部分１２１ｅ（図９参照）が使用者によって操作面１２１ａ側から矢印１２０ｂで示す方向に押圧されたときに、釦２２０が矢印１２０ｂで示す方向に対して矢印１２０ｅ（図１１参照）で示す方向に回動することによって、スイッチ押圧部１２６がスイッチ１４１を押圧することができる。
【００６７】
以上説明したように、本実施の形態に係る操作入力装置は、第一弾性部２２４の弾性力と、第二弾性部１２５の弾性力とが互いに異なった構成を有しているので、釦２２０の操作部１２１が使用者によって操作面１２１ａ側から矢印１２０ｂで示す方向に押圧されたときに、操作部１２１のうち使用者によって押圧された部分の位置に応じて、釦２２０のパネル部材１３０に対する動作を変更することができる。
【００６８】
なお、本実施の形態に係る操作入力装置は、太さが異なるように第一弾性部２２４及び第二弾性部１２５が形成されることによって、第一弾性部２２４及び第二弾性部１２５の弾性力を異ならせることができていたが、本発明によれば、第一弾性部２２４及び第二弾性部１２５の太さ以外の構成によって、第一弾性部２２４及び第二弾性部１２５の弾性力を異ならせても良い。
【００６９】
（第３の実施の形態）
【００７０】
まず、第３の実施の形態に係る操作入力装置の構成について説明する。
【００７１】
なお、本実施の形態に係る操作入力装置は、第１の実施の形態に係る操作入力装置１１０（図１参照）において釦１２０（図５から図７まで参照）に代えて図１２から図１４までに示す釦３２０を備えたものとほぼ同様であるので、本実施の形態に係る操作入力装置の構成のうち、第１の実施の形態に係る操作入力装置１１０とほぼ同様な構成については詳細な説明を省略する。また、釦３２０は、以下に説明する構成を除いて釦１２０の構成とほぼ同様な構成を有しているので、釦３２０の構成のうち、釦１２０とほぼ同様な構成については釦１２０の構成と同一の符号を付して詳細な説明を省略する。
【００７２】
図１２から図１４までにおいて、釦３２０は、釦１２０（図５から図７まで参照）の第二弾性部１２５（図５から図７まで参照）に代えて、操作部１２１に固定された固定部３２５ａ、及び、第二支持部１２３に固定された固定部３２５ｂを有し、固定部３２５ａ及び固定部３２５ｂで操作部１２１及び第二支持部１２３に固定されることによって、操作部１２１及び第二支持部１２３を連結する第二弾性部３２５を有している。
【００７３】
ここで、第一弾性部１２４の操作部１２１に固定された部分である固定部１２４ａと、第二弾性部３２５の操作部１２１に固定された部分である固定部３２５ａとは、操作面１２１ａの略対角位置に配置されている。
【００７４】
また、第二弾性部３２５は、延在方向が略直角に曲げられた曲げ部３２５ｃ、曲げ部３２５ｄ、曲げ部３２５ｅ、曲げ部３２５ｆ、曲げ部３２５ｇ及び曲げ部３２５ｈを有しており、曲げ部３２５ｃ、曲げ部３２５ｄ、曲げ部３２５ｅ、曲げ部３２５ｆ、曲げ部３２５ｇ及び曲げ部３２５ｈの六箇所で曲げられたことによって弾性を有している。
【００７５】
なお、第一弾性部１２４及び第二弾性部３２５のうちスイッチ押圧部１２６から遠い方である第一弾性部１２４は、スイッチ押圧部１２６から近い方である第二弾性部３２５より短く形成されており、第一弾性部１２４は第二弾性部３２５より弾性力が大きくなっている。
【００７６】
次に、本実施の形態に係る操作入力装置の動作について説明する。
【００７７】
なお、本実施の形態に係る操作入力装置の動作は、以下に説明する動作を除いて、第１の実施の形態に係る操作入力装置１１０（図１参照）の動作とほぼ同様であるので、本実施の形態に係る操作入力装置の動作のうち、第１の実施の形態に係る操作入力装置１１０の動作とほぼ同様動作については説明を省略する。
【００７８】
本実施の形態に係る操作入力装置は、第一弾性部１２４が第二弾性部３２５より弾性力が大きくなっているので、第一弾性部１２４及び第二弾性部３２５のうちスイッチ押圧部１２６から遠い方である第一弾性部１２４が固定された側の操作部１２１の部分１２１ｄ（図１２参照）が使用者によって操作面１２１ａ側から矢印１２０ｂで示す方向に押圧されたときに、矢印１２０ｂで示す方向に対する釦３２０の矢印１２０ｄ（図１４参照）で示す方向の回動を第一弾性部１２４が抑制することができる。
【００７９】
したがって、本実施の形態に係る操作入力装置は、第一弾性部１２４及び第二弾性部３２５のうちスイッチ押圧部１２６から遠い方である第一弾性部１２４が固定された側の操作部１２１の部分１２１ｄが使用者によって操作面１２１ａ側から矢印１２０ｂで示す方向に押圧されたときでも、釦３２０が矢印１２０ｂで示す方向に移動するので、スイッチ押圧部１２６がスイッチ１４１（図１参照）を押圧することができる。
【００８０】
なお、本実施の形態に係る操作入力装置は、第一弾性部１２４が第二弾性部３２５より弾性力が大きくなっているので、第一弾性部１２４及び第二弾性部３２５のうちスイッチ押圧部１２６から近い方である第二弾性部３２５が固定された側の操作部１２１の部分１２１ｅ（図１２参照）が使用者によって操作面１２１ａ側から矢印１２０ｂで示す方向に押圧されたときに、釦３２０が矢印１２０ｂで示す方向に対して矢印１２０ｅ（図１４参照）で示す方向に回動することによって、スイッチ押圧部１２６がスイッチ１４１を押圧することができる。
【００８１】
以上説明したように、本実施の形態に係る操作入力装置は、第一弾性部１２４の弾性力と、第二弾性部３２５の弾性力とが互いに異なった構成を有しているので、釦３２０の操作部１２１が使用者によって操作面１２１ａ側から矢印１２０ｂで示す方向に押圧されたときに、操作部１２１のうち使用者によって押圧された部分の位置に応じて、釦３２０のパネル部材１３０に対する動作を変更することができる。したがって、スイッチ押圧部１２６は、操作部１２１のうち使用者によって押圧される部分の位置に関わらず、スイッチ１４１を押圧することができる。
【００８２】
なお、本実施の形態に係る操作入力装置は、長さが異なるように第一弾性部１２４及び第二弾性部３２５が形成されることによって、第一弾性部１２４及び第二弾性部３２５の弾性力を異ならせることができていたが、本発明によれば、第一弾性部１２４及び第二弾性部３２５の長さ以外の構成によって、第一弾性部１２４及び第二弾性部３２５の弾性力を異ならせても良い。
【００８３】
【発明の効果】
以上説明したように、本発明によれば、釦が使用者によって押圧されたときに、釦の引っ掛かりを防止することができる操作入力装置、及び、この操作入力装置を備えた車載用電子機器を提供することができる。
【図面の簡単な説明】
【図１】本発明の第１の実施の形態に係る操作入力装置の背面側に視点をおいた状態での操作入力装置の分解斜視図
【図２】図１に示す操作入力装置の釦及びパネル部材の背面図
【図３】図２に示す釦及びパネル部材の上面断面図
【図４】図１に示す操作入力装置を備えた車載用音響機器の正面図
【図５】図２に示す釦の正面図
【図６】図５に示す釦の背面図
【図７】図５に示す釦の側面図
【図８】図５に示す態様とは異なる態様での本発明の第１の実施の形態に係る操作入力装置の釦の正面図
【図９】本発明の第２の実施の形態に係る操作入力装置の釦の正面図
【図１０】図９に示す釦の背面図
【図１１】図９に示す釦の側面図
【図１２】本発明の第３の実施の形態に係る操作入力装置の釦の正面図
【図１３】図１２に示す釦の背面図
【図１４】図１２に示す釦の側面図
【図１５】従来の操作入力装置の正面側に視点をおいた状態での操作入力装置の分解斜視図
【図１６】図１５に示す操作入力装置の釦及びパネル部材の上面図
【図１７】図１５に示す操作入力装置を備えた車載用音響機器の正面図
【図１８】図１６に示す釦の背面図
【符号の説明】
１００      車載用音響機器（車載用電子機器）
１１０      操作入力装置
１２０      釦
１２１      操作部
１２１ａ      操作面
１２１ｂ      面（操作部の操作面とは反対側の面）
１２２      第一支持部
１２３      第二支持部
１２４      第一弾性部
１２４ａ      固定部（第一弾性部の操作部に固定された部分）
１２５      第二弾性部
１２５ａ      固定部（第二弾性部の操作部に固定された部分）
１２６      スイッチ押圧部
１３０      パネル部材（支持部材）
１４１      スイッチ
１７０      釦
１７４      第一弾性部
１７４ａ      固定部（第一弾性部の操作部に固定された部分）
１７５      第二弾性部
１７５ａ      固定部（第二弾性部の操作部に固定された部分）
２２０      釦
２２４      第一弾性部
２２４ａ      固定部（第一弾性部の操作部に固定された部分）
３２０      釦
３２５      第二弾性部
３２５ａ      固定部（第二弾性部の操作部に固定された部分）
【図１】
0003980411.tif 000002
【図２】
0003980411.tif 000003
【図３】
0003980411.tif 000004
【図４】
0003980411.tif 000005
【図５】
0003980411.tif 000006
【図６】
0003980411.tif 000007
【図７】
0003980411.tif 000008
【図８】
0003980411.tif 000009
【図９】
0003980411.tif 000010
【図１０】
0003980411.tif 000011
【図１１】
0003980411.tif 000012
【図１２】
0003980411.tif 000013
【図１３】
0003980411.tif 000014
【図１４】
0003980411.tif 000015
【図１５】
0003980411.tif 000016
【図１６】
0003980411.tif 000017
【図１７】
0003980411.tif 000018
【図１８】
0003980411.tif 000019